(57)【特許請求の範囲】
【請求項１】
車両（３０）用の放送サービス継続のための方法であって、
この車両（３０）は、デジタルオーディオ放送（ＤＡＢ）システムと少なくとも一つのセルラー網ベース放送システムの信号を受信するように構成されており、この方法が、所与のＤＡＢサービスからそれに対応するセルラー網ベース放送サービスへの予想されるサービス継続のために、
ＤＡＢサービスのカバレージギャップの地理的位置、セルラー網ベース放送サービスのカバレージギャップの地理的位置、及びＤＡＢサービスとセルラー網ベース放送サービスの遷移ゾーンの中の一つ以上を表すデータを含む受信されるＤＡＢ信号に含まれるサービス情報、
に基づき、車両（３０）が所与の時間期間内に到達すると期待されるルート区間内におけるＤＡＢサービス及び／又はセルラー網ベース放送サービスの信号品質及び／又は信号アベイラビリティを連続して、或いは所与の時間間隔で推定する工程と、
この推定された信号品質及び／又は信号アベイラビリティに基づき、ＤＡＢサービスからそれに対応するセルラー網ベース放送サービスへのハンドオーバーを実施する工程と、を有する方法。
【請求項２】
ＤＡＢサービスのカバレージギャップの地理的位置、セルラー網ベース放送サービスのカバレージギャップの地理的位置、及びＤＡＢサービスとセルラー網ベース放送サービスの遷移ゾーンの中の一つ以上を表すデータを含む提供されるデータベース情報、
に基づき、車両（３０）が所与の時間期間内に到達すると期待されるルート区間内におけるＤＡＢサービス及び／又はセルラー網ベース放送サービスの信号品質及び／又は信号アベイラビリティを連続して、或いは所与の時間間隔で推定する工程をさらに有する請求項１に記載の方法。
【請求項３】
車両（３０）が所与の時間期間内に到達すると期待されるルート区間内におけるＤＡＢサービス及び／又はセルラー網ベース放送サービスの信号品質及び／又は信号アベイラビリティが、車両（３０）により受信されるその時々のデジタルオーディオ放送サービス信号又はその時々のセルラー網ベース放送サービス信号の提供される測定データに基づき連続して、或いは所与の時間間隔で推定される請求項１又は２に記載の方法。
【請求項４】
セルラー網ベース放送サービスが拡張マルチメディア放送／マルチキャストサービス（ｅＭＢＭＳ）を含む請求項１から３のいずれかに記載の方法。
【請求項５】
該ハンドオーバーが、車両（３０）のその時々の地理的位置、車両（３０）の期待されるルート及び車両（３０）の速度の中の一つ以上に基づき実施される請求項１から４までのいずれか一つに記載の方法。
【請求項６】
該ハンドオーバーが実施される場合に、セルラー網ベース放送サービス信号内に含まれるユーザーサービス記述子内で搬送されるＤＡＢサービスＩＤ情報に基づき、該ＤＡＢサービスに対応するセルラー網ベース放送サービスが決定される請求項１から５までのいずれか一つに記載の方法。
【請求項７】
受信されるＤＡＢ信号に含まれるサービス情報が、セルラー網ベース放送サービスの該ユーザーサービス記述子を含むか、或いは表す請求項６に記載の方法。
【請求項８】
該ＤＡＢサービスに対応するセルラー網ベース放送サービスのユーザーサービス記述子が所与のデータベースから取り出される請求項６又は７に記載の方法。
【請求項９】
該ＤＡＢサービスを特定するＤＡＢサービスＩＤが拡張マルチメディア放送／マルチキャストサービスのユニフォームリソース名（ＵＲＮ）内に含まれるように、該ＤＡＢサービスのＤＡＢサービスＩＤ情報がマルチメディア放送／マルチキャストサービスのユーザーサービス記述に含まれており、その対応するセルラー網ベース放送サービスを発見するために、拡張マルチメディア放送／マルチキャストサービスの全てのサービス群が収集されて、該ＤＡＢサービスＩＤを求めて反復して検索される請求項６から８までのいずれか一つに記載の方法。
【請求項１０】
該ＤＡＢサービスとセルラー網ベース放送サービスの間の同期が、ＤＡＢサービスとセルラー網ベース放送サービスの間の所与の遅延に応じてＤＡＢサービス及び／又はセルラー網ベース放送サービスのオーディオコンテンツを一時保存することによって実施され、この遅延が、データベース及び／又は受信されるＤＡＢ信号に含まれるサービス情報によって提供される請求項１から９までのいずれか一つに記載の方法。
【請求項１１】
該サービス継続が成功裏に進行した地理的位置が、データベース情報として入手可能なように、該データベース及び／又は別のデータベースに保存される請求項１から１０までのいずれか一つに記載の方法。
【請求項１２】
車両（３０）用の放送サービス継続のための装置であって、請求項１から１１までのいずれか一つに記載の方法を実施するように構成された装置。
【請求項１３】
コンピュータに、請求項１から１１までのいずれか一つに記載の方法を実行させるように構成されたコンピュータプログラム。
【請求項１４】
コンピュータに、請求項１から１１までのいずれか一つに記載の方法を実行させるように実行可能なプログラムコードを有するコンピュータプログラム製品。
【発明の詳細な説明】
【技術分野】
【０００１】
本発明は、車両用の放送サービス継続のための方法及びそれに対応する装置に関する。この装置は車両に配置される。本発明は、更に、車両用の放送サービス継続のためのコンピュータプログラム及びコンピュータプログラム製品に関する。
【背景技術】
【０００２】
デジタルオーディオ放送（ＤＡＢ）、周波数変調放送（ＦＭ）、振幅変調放送（ＡＭ）及びデジタル無線モンディエール放送（ＤＲＭ）などの純粋な放送システムに加えて、ワイヤレス通信標準の３ＧＰＰロング・ターム・エボリューションに準拠したロング・ターム・エボリューション・システム（ＬＴＥシステム）のようなセルラー網通信システムを用いて、或いは典型的なユニキャスト（１対１）伝送又は拡張マルチメディア放送／マルチキャストサービス（ｅＭＢＭＳ）によるブロードキャスト（１対多数）伝送を使用して、無線サービスを提供することもできる。
【０００３】
「サービス継続」とは、異なる周波数及び／又は伝送システムの間を切り換えた場合にユーザーが体感している同じオーディオ又はビデオコンテンツの維持を定義するために使用される用語である。異なる周波数及び／又は伝送システムの間の切換は、マルチ周波数網（ＭＦＮ）において異なるサービスエリアを越えて移動する場合、或いは、例えば、車で走行している時又は市内でビルの間を走行している時に起こる受信状態の変化に対処するために必要となる場合が有る。
【０００４】
特許文献１は、ＤＡＢ受信機において、ＤＡＢフレームの受信を中断すること無く、その時々の受信周波数から代替周波数を試験受信するための方法を開示している。その受信機は、一つのＤＡＢフレームのヌルシンボル期間の間に同じサービスコンテンツを搬送する代替周波数を走査している。その方法は、目立った中断の無い周波数切換を可能とするために、代替ＤＡＢ周波数への粗い同期を可能としている。そのシステム及び方法は、代替周波数を搬送するＤＡＢシステムの存在と十分なＤＡＢカバレージを必要とする。
【０００５】
特許文献２は、それぞれが異なる伝送方式及び／又は異なるインフラストラクチャコンポーネントの使用に対応するとともに、モバイルユニットと中央ユニットの間のデータ接続を介して作り出された無線伝送チャネルのグループから一つの無線伝送チャネルを選定することを開示している。そのモバイルユニットは、それぞれが二つの無線伝送チャネルの中の一つを介してデータを伝送するように構成された少なくとも二つの無線ユニットを備えている。無線伝送チャネルのグループから一つの無線伝送チャネルを選定するために、無線伝送チャネルの中の少なくとも一つのチャネルの少なくとも一つの早期伝送リンクのデータ、所謂履歴データを使用している。
【先行技術文献】
【特許文献】
【０００６】
【特許文献１】国際特許公開第９９／１４８７４号明細書
【特許文献２】ドイツ特許公開第１０２０１３２１５７２８号明細書
【発明の概要】
【発明が解決しようとする課題】
【０００７】
本発明の課題は、放送伝送システム間におけるサービス継続の改善に寄与する、特に、車両で受信する場合に、ユーザー体感の改善に寄与する、車両用の放送サービス継続のための方法及びそれに対応する装置を提供することである。
【課題を解決するための手段】
【０００８】
本課題は、独立請求項の特徴によって達成される。本発明の有利な実施形態は、従属請求項に示されている。
【０００９】
第一及び第二の観点では、本発明は、車両用の放送サービス継続のための方法及びそれに対応する装置によって特徴付けられる。この車両は、デジタルオーディオ放送（ＤＡＢ）システムと少なくとも一つのセルラー網ベース放送システムの信号を受信するように構成される。
【００１０】
所与のＤＡＢサービスからそれに対応するセルラー網ベース放送サービスへの予想されるサービス継続のために、車両が所与の時間期間内に到達すると期待されるルート区間内におけるＤＡＢサービス及び／又はセルラー網ベース放送サービスの信号品質及び／又は信号アベイラビリティが、ＤＡＢサービスのカバレージギャップの地理的位置、セルラー網ベース放送サービスのカバレージギャップの地理的位置及びＤＡＢサービスとセルラー網ベース放送サービスの遷移ゾーンの中の一つ以上を表すデータを含む提供されるデータベース情報に基づき連続して、或いは所与の時間間隔で推定される。それに追加して、或いはそれに代わって、車両が所与の時間期間内に到達すると期待されるルート区間内におけるＤＡＢサービス及び／又はセルラー網ベース放送サービスの信号品質及び／又は信号アベイラビリティが、受信されるＤＡＢ信号内に含まれるサービス情報に基づき推定される。このサービス情報は、ＤＡＢサービスのカバレージギャップの地理的位置、セルラー網ベース放送サービスのカバレージギャップの地理的位置及びＤＡＢサービスとセルラー網ベース放送サービスの遷移ゾーンの中の一つ以上を表すデータを含む。ＤＡＢサービスからそれに対応するセルラー網ベース放送サービスへのハンドオーバーは、この推定された信号品質及び／又は信号アベイラビリティに基づき実施される。
【００１１】
このセルラー網ベース放送伝送方式を用いたＤＡＢ網のカバレージギャップをカバーするためのセルラー網の補完的使用が、ＤＡＢカバレージの欠落により生じるサービス中断を回避することによってユーザー体感を改善する。特に、サービス情報及び／又はデータベース情報による支援が、切換手順を簡単化し、従って、レイテンシーを低減するとともに、切れ目の無いユーザー体感を可能とする。更に、この必要なサービス情報は、現在の標準を修正すること無く、従って、従来のＤＡＢ網及びＤＡＢシステムと後方互換を有する形でＤＡＢサービス信号に組み入れることができる。
【００１２】
このサービス情報は、ＤＡＢサービスカバレージ情報を含むことができる。このサービス情報は、ＤＡＢ伝送フレームに含めることができる。従って、このサービス情報は、ＤＡＢサービスのカバレージエリア内の全ての地点で、即ち、セルラー網ベース放送システムに切り換える必要性が生じる前に、そしてセルラー網ベース放送サービスのカバレージゾーンに到達する前でさえ入手可能である。従って、車両は、事前に切換手順に備えることができ、何らかの予想されるサービス継続が可能である。
【００１３】
予想されるサービス継続のための所与の時間期間は設定可能とすることができる。
【００１４】
第一及び第二の観点の一つの実施形態では、車両が所与の時間期間内に到達すると期待されるルート区間におけるＤＡＢサービス及び／又はセルラー網ベース放送サービスの信号品質及び／又は信号アベイラビリティが、その車両によって受信されるその時々のデジタルオーディオ放送サービス信号又はその時々のセルラー網ベース放送サービス信号の提供される測定データに基づき連続して、或いは所与の時間間隔で推定される。有利には、これは、ハンドオーバーが必要であるか否かの決定に車両を取り巻くエリア内における追加的な実際の環境を組み入れることを可能とする。
【００１５】
第一及び第二の観点の別の実施形態では、セルラー網ベース放送サービスは、拡張マルチメディア放送／マルチキャストサービス（ｅＭＢＭＳ）を含む。ｅＭＢＭＳの使用は、セルラー網ユニキャスト伝送と比べて、多数のユーザーへのライブオーディオコンテンツの同時配信に関して、より高い効率を可能とする。
【００１６】
第一及び第二の観点の別の実施形態では、このハンドオーバーは、車両のその時々の地理的位置、車両の期待されるルート及び車両の速度の中の一つ以上に基づき実施される。この車両のその時々の地理的位置、車両の期待されるルート及び車両の速度の中の一つ以上の情報を用いて、更に事前にハンドオーバーを開始することができる。これは、二つのシステムの同期を容易にする。この車両のその時々の地理的位置、車両の期待されるルート及び車両の速度の中の一つ以上は、車両ナビゲーションシステム及び／又はそれ以外の好適な車両センサーによって提供することができる。
【００１７】
第一及び第二の観点の別の実施形態では、このハンドオーバーが実施されるイベントにおいて、ＤＡＢサービスに対応するセルラー網ベース放送サービスが、セルラー網ベース放送サービス信号に含まれるユーザーサービス記述子内で搬送されるＤＡＢサービスＩＤ情報に基づき決定される。これは、ＤＡＢサービスからそれに対応するセルラー網ベース放送サービスへの容易な切換を可能とする。
【００１８】
第一及び第二の観点の別の実施形態では、受信されるＤＡＢサービスのＤＡＢ信号に含まれるサービス情報は、セルラー網ベース放送サービスのユーザーサービス記述子を含むか、或いは表す。このようにして、このサービス情報は、既存のＤＡＢ受信機に対して完全に透過的であるが、新しいＤＡＢ受信機は、ＤＡＢ伝送フレームの特定のフィールドで搬送される情報を読み出して処理することができる。このサービス情報は、周波数情報（ＦＩ）リストフィールドに含めることができる。将来の使用に対して期待される幾つかの未使用の帯域及び変調（Ｒ＆Ｍ）値が存在する。これらの未使用のＲ＆Ｍ値の中の一つは、ＤＡＢサービスからそれに対応するセルラー網ベース放送サービスへの切換手順を管理するための何らかの有用な情報を放送配信するために使用することができる。
【００１９】
第一及び第二の観点の別の実施形態では、該ＤＡＢサービスに対応するセルラー網ベース放送サービスのユーザーサービス記述子は、所与のデータベースから取り出される。切換手順を予想するために、このデータベースにリモートアクセスするか、このデータベースをローカルに保存及び更新するか、或いはその両方を行なうことができる。
【００２０】
第一及び第二の観点の別の実施形態では、ＤＡＢサービスを特定するＤＡＢサービス識別子が、拡張マルチメディア放送／マルチキャストサービスシステム（ｅＭＢＭＳシステム）で搬送されるユニフォームリソース名（ＵＲＮ）の形で含まれるように、該ＤＡＢサービスのＤＡＢサービスＩＤ情報が、マルチメディア放送／マルチキャストサービス・ユーザーサービス記述子に含まれており、その対応するセルラー網ベース放送サービスを発見するために、ｅＭＢＭＳシステムの全ての、或いはほぼ全てのユーザーサービス群が収集されて、ＤＡＢサービス識別子を求めて反復して検索される。これは、データベース又はＤＡＢ信号から更なる情報が入手可能でない場合に、その対応するセルラー網ベース放送サービスのユーザーサービス記述子を決定することを可能とする。
【００２１】
第一及び第二の観点の別の実施形態では、ＤＡＢサービスとセルラー網ベース放送サービスの間の同期は、ＤＡＢサービスとセルラー網ベース放送サービスの間の所与の遅延に応じてＤＡＢサービス及び／又はセルラー網ベース放送サービスのオーディオコンテンツを一時保存することによって実施され、この遅延は、データベース及び／又は受信されるＤＡＢ信号に含まれるサービス情報により提供される。前記の同期は、ＤＡＢサービスとセルラー網ベース放送サービスの間に存在する遅延に対処することを可能とし、切れ目の無いサービス継続運用を保証することができる。これらの目的のために、例えば、好適な受信装置が、オーディオコンテンツを一時保存して、サービスの最後の数秒の再生又はリピートを遅らせることができる。ＤＡＢに対するセルラー網ベース放送サービスの遅延は、データベース及び／又は受信されるＤＡＢ信号に含まれるサービス情報において入手可能とすることができる。
【００２２】
第一及び第二の観点の別の実施形態では、サービス継続が成功裏に完了した地理的位置が、データベース情報として入手可能であるように、このデータベース及び／又は別のデータベースに保存される。
【００２３】
これは、サービス喪失領域リストを補完することを可能とし、このデータベース情報がバックエンドで提供されるので、例えば、相手先商標製造業者の車両群の中の代替車両におけるサービス継続アプリケーションの改善に寄与することができる。
【００２４】
第三及び第四の観点では、本発明は、車両用の放送サービス継続のための方法によって特徴付けられる。この車両は、デジタルオーディオ放送（ＤＡＢ）システムと少なくとも一つのセルラー網ベース放送システムの信号を受信するように構成される。所与のセルラー網ベース放送サービスからそれに対応するＤＡＢサービスへの予想されるサービス継続のために、車両が所与の時間期間で到達すると期待されるルート区間におけるセルラー網ベース放送サービス及び／又はそれに対応するＤＡＢサービスの信号品質及び／又は信号アベイラビリティが、ＤＡＢサービスのカバレージギャップの地理的位置、セルラー網ベース放送サービスのカバレージギャップの地理的位置及びＤＡＢサービスとセルラー網ベース放送サービスの遷移ゾーンの中の一つ以上を表すデータを含む提供されるデータベース情報に基づき連続して、或いは所与の時間間隔で推定される。セルラー網ベース放送サービスからそれに対応するＤＡＢサービスへのハンドオーバーは、この推定された信号品質及び／又は信号アベイラビリティに基づき実施される。
【００２５】
これは、ＤＡＢサービスへのハンドオーバーが必要であるか、或いは可能であるのかを早い段階で決定することを可能とする。
【００２６】
第一及び第二の観点の有利な実施形態は、第三及び第四の観点においても有効である。
【００２７】
別の観点では、本発明は、コンピュータプログラムによって特徴付けられ、このコンピュータプログラムは、そのコンピュータプログラムがデータ処理装置上で実行されることによって、第一又は第三の観点に基づく車両用の放送サービス継続のための方法又はそれらの方法の有利な実施形態を実行するように構成される。
【００２８】
別の観点では、本発明は、実行可能なプログラムコードを有するコンピュータプログラム製品によって特徴付けられ、このプログラムコードは、そのプログラムコードがデータ処理装置上で実行されることによって、第一又は第三の観点に基づく車両用の放送サービス継続のための方法又はそれらの方法の有利な実施形態を実行する。
【００２９】
このコンピュータプログラム製品は、特に、データ処理装置により読取可能であるとともに、このプログラムコードを保存する手段を有する。
【００３０】
以下において、添付した模式図と関連して、本発明の実施例を説明する。
【図面の簡単な説明】
【００３１】
【図１】サービス継続のアプリケーションシナリオを示す模式的なブロック図
【図２】車両用の放送サービス継続のためのプログラムのフロー図
【図３】第一のサブプログラムのフロー図
【図４】第二のサブプログラムのフロー図
【図５】第三のサブプログラムのフロー図
【発明を実施するための形態】
【００３２】
図１は、サービス継続のアプリケーションシナリオを示す模式的なブロック図を図示している。図１は、デジタルオーディオ放送（ＤＡＢ）の放送塔１０、セルラー網の基地局２０、特に、拡張マルチメディア放送／マルチキャストサービス（ｅＭＢＭＳ）をサポートするＬＴＥ網の高度ノードＢ、及び道路４０を走行する車両３０を図示している。図１から見ることができる通り、道路４０は、ＤＡＢサービスカバレージゾーン５０の一部、セルラー網ベース放送サービスカバレージゾーン８０の一部、ＤＡＢサービスカバレージギャップ６０の一部及び遷移ゾーン７０の一部を通っており、ＤＡＢサービスカバレージとセルラー網ベース放送サービスカバレージの両方が使用可能である。好ましくは、ＤＡＢで伝送されるサービスの全て又は大部分がセルラー網ベース放送でも使用可能である。
【００３３】
このシナリオでは、車両３０は、ＤＡＢサービスエリア内を走行しており、セルラー網ベース放送サービスカバレージ、好ましくは、ｅＭＢＭＳカバレージが存在するＤＡＢサービスカバレージギャップ６０（ＤＡＢ喪失域）を通過しなければならない。図１で見ることができる通り、ＤＡＢ喪失域の周りには遷移ゾーン７０が有る。
【００３４】
この文脈において、放送伝送、特に、ｅＭＢＭＳの使用は、より高い効率が多数のユーザーへのライブオーディオコンテンツの同時配信のために達成されるので、セルラーユニキャスト伝送よりも好ましい。
【００３５】
ｅＭＢＭＳ標準に準拠して、ｅＭＢＭＳ伝送をサポートするＬＴＥ網に、放送・マルチキャストサービスセンター（ＢＭ−ＳＣ）、ＭＢＭＳゲートウェイ（ＭＢＭＳ−ＧＷ）及びマルチセル・コーディネーション・エンティティ（ＭＣＥ）の新しい構成要素が導入されている。ＭＢＭＳ第６版に定義された前者は、コア網とコンテンツ提供者の間に位置するので、ＭＢＭＳコンテンツのための入力点である。それは、特に、ＭＢＭＳ伝送の開始と終了、サービス宣言、セキュリティ及び課金タスクなどを制御する。このＭＢＭＳ−ＧＷの主な機能は、ＩＰマルチキャストを用いて、ＭＢＭＳ伝送に関連するＭＢＭＳパケットを高度ノードＢ（ｅＮＢ）に転送することである。最終的に、ＭＣＥが、ＭＢＭＳコンテンツとリソースの両方の管理を行なう。
【００３６】
ＭＢＭＳ方式では、ＭＢＭＳユーザーサービスは、エンドユーザーにサービスを提供するとともに、それを作動及び停止を制御する役割を果たすエンティティである。一般的に、ＭＢＭＳユーザーサービスは、幾つかのＭＢＭＳダウンロード又はＭＢＭＳストリーミングセッションを介して提供される必要の有る複数の別個のマルチメディアオブジェクト又はストリームを含むことができる。デジタルオーディオサービスの場合、それと関連するＭＢＭＳユーザーサービスは、一つのＭＢＭＳストリーミングセッションを介して提供することができる。各セッションは、一つのユニキャストベアラサービス、或いは一つ又は複数のＭＢＭＳベアラサービスと、移動体側でコンテンツを如何にして受信するのかを規定する一連の配信方法パラメータとに関連する。同じＭＢＭＳユーザーサービスの全てのＭＢＭＳベアラサービスは、同じテンポラリィ・モバイル・グループ・アイデンティティ（ＴＭＧＩ）により特定される。
【００３７】
車両３０は、受信装置９０を備えている。この受信装置９０は、放送サービス継続のための装置と呼ぶこともできる。
【００３８】
この受信装置９０は、以下で説明する通り、放送サービス継続のためのプログラムを実行するように構成される。
【００３９】
好ましくは、この受信装置９０は、一つのデジタルオーディオ放送システム及び／又は少なくとも一つのセルラー網ベース放送サービスシステムの信号を受信するようにも構成される。このようにして、追加の装置及び信号伝送を回避することができる。
【００４０】
図２は、車両３０用の放送サービス継続のためのプログラムのフロー図を図示している。このプログラムは、例えば、車両３０の受信装置９０で実行することができる。
【００４１】
このプログラムは、例えば、三つのサブプログラムから構成される。これらのサブプログラムの詳細なフロー図が図３〜５に図示されている。これらのサブプログラムは、例えば、順番に実行される。このプログラムは、例えば、車両３０の動作が開始された時に、工程Ｓ０から始まって、車両３０の動作が停止された時に、工程Ｓ７で終了する。
【００４２】
このプログラムは、第一のサブプログラムＳ１から始まる。この第一のサブプログラムＳ１は、ＤＡＢサービスからセルラー網ベース放送サービスへのハンドオーバーを実施しなければならないのかを決定する役割を果たす。この目的のために、車両３０が所与の時間期間内に到達すると期待されるルート区間内におけるＤＡＢサービス及び／又はセルラー網ベース放送サービスの信号の信号品質及び／又は信号アベイラビリティが、ＤＡＢサービスのカバレージギャップの地理的位置、セルラー網ベース放送サービスのカバレージギャップの地理的位置及びＤＡＢサービスとセルラー網ベース放送サービスの遷移ゾーンの中の一つ以上を表すデータを含む提供されるデータベース情報に基づき連続して、或いは所与の時間間隔で推定される。それに追加して、或いはそれに代わって、車両が所与の時間期間内に到達すると期待されるルート区間内におけるＤＡＢサービス及び／又はセルラー網ベース放送サービスの信号品質及び／又は信号アベイラビリティは、受信されるＤＡＢ信号に含まれるサービス情報に基づき推定される。
【００４３】
第一のサブプログラムＳ１のフロー図の例が図３に図示されている。
【００４４】
第一のサブプログラムＳ１は工程Ｓ１＿１から始まる。工程Ｓ１＿３では、サービス情報が受信されるＤＡＢ信号に含まれているのかが調べられる。このサービス情報は、例えば、ＤＡＢカバレージ情報を含む。
【００４５】
ＤＡＢ信号がサービス情報を含む場合、このサービス情報が工程Ｓ１＿５で調査される。このサービス情報に基づき、車両３０が所与の時間期間内に到達すると期待されるルート区間内におけるＤＡＢサービス信号及び／又はセルラー網ベース放送サービス信号の信号品質及び／又は信号アベイラビリティが推定される。
【００４６】
ＤＡＢシステムでは、所与のＤＡＢ伝送フレームがオーディオデータ及び信号情報を伝送するために使用される。ＤＡＢ標準に準拠して、その時々の同調されているオーディオサービスを搬送する代替システム及び／又は代替周波数の周波数情報（ＦＩ）がフレームＦＩＧ０／２１（ファスト・インフォメーション・グループのタイプ０拡張２１）において符号化されている。この周波数情報は、その時々のＤＡＢサービスの代替周波数を発見できる領域の緯度座標及び経度座標を示すリージョナル情報特性を用いて、異なる地理領域に対して与えられる。
【００４７】
領域識別子（リージョンＩＤ）は１１ビットから構成される。「０」は特定の領域が無いことを示す。２０４７個の領域を表すことができる。例えば、ＤＡＢサービスカバレージギャップを指定するために、これら２０４７個の領域の中の幾つかを使用することができる。
【００４８】
このリージョンＩＤを用いて、一つ又は複数のＦＩリストを伝送することができる。このＦＩリストの長さは、ＦＩリストを含むフィールドのバイト長（最大２６バイト）を表す５ビットのフィールドによって指定することができる。各ＦＩリスト内において、Ｒ＆Ｍ（帯域及び変調、４ビット）フィールドが、所望のサービスを伝送する放送システム（ＦＭ、ＡＭ、ＤＲＭ等）を示す。ＤＡＢ標準に準拠して、代替システムを定義するための可能な９個までのＲ＆Ｍ値が未だ使用されていない。例えば、これらの値の中の一つは、セルラー網ベース放送サービス、特に、ＭＢＭＳのために使用される。このＩｄフィールド（１６ビット）は、それに対応するＲ＆Ｍシステムのサービス識別子を示す。このＲ＆Ｍフィールドに応じて、制御フィールド、識別子フィールド及びその対応する代替周波数値の中の一つ以上を含むように、残りのフィールドの構造を変更することができる。
【００４９】
ＦＩリスト（２６バイト長）は、例えば、ＭＢＭＳベアラにより搬送されるオーディオサービスに対応するＴＭＧＩとフローＩＤを含むことができる。
【００５０】
それに追加して、或いはそれに代わって、工程Ｓ１＿７で、ＤＡＢサービスのカバレージギャップの地理的位置、セルラー網ベース放送サービスのカバレージギャップの地理的位置及び遷移ゾーンの中の一つ以上を表す提供されるデータベース情報が有るのかが調べられる。
【００５１】
このデータベース情報は、リモートデータベース及び／又は車両３０のローカルデータベースに保存することができる。このデータベース情報は、ハンドオーバー手順を予想するために、受信機により使用することができる。
【００５２】
データベース情報が入手可能である場合、このデータベース情報は、工程Ｓ１＿９で調査される。工程Ｓ１＿９では、このデータベース情報に基づき、車両３０が所与の時間期間内に到達すると期待されるルート区間内におけるデジタルオーディオ放送サービス信号及び／又はセルラー網ベース放送サービス信号の信号品質及び／又は信号アベイラビリティが推定される。
【００５３】
このデータベース情報は、ギャップの地理的位置及び／又は遷移ゾーンを含むことができる。表Ｉは、このデータベースに含まれるデータベース情報の幾つかの例を提供する。この情報は、サービス情報内においてＤＡＢシステムにより送信される情報と同じものとすることができる。
【００５４】
【表１】
0006483797.tif 000002
【００５５】
任意選択として、工程Ｓ１＿１１で、その時々のデジタルオーディオ信号の提供される測定データが評価される。
【００５６】
工程Ｓ１＿１１では、この提供される測定データに基づき、その時々のデジタルオーディオ放送サービス信号及び／又はセルラー網ベース放送サービス信号の信号品質が推定される。
【００５７】
工程Ｓ１＿１３で、このデジタルオーディオサービス信号及び／又はセルラー網ベース放送サービス信号の信号品質の推定に基づき、ハンドオーバーが実施される、特に、ハンドオーバーが必要であるか否かが決定される。好ましくは、車両３０のその時々の地理的位置、車両３０の期待されるルート及び車両３０の速度の中の一つ以上に基づき、ハンドオーバーが実施される。
【００５８】
ハンドオーバーを実施しなければならない場合、第一のサブプログラムＳ１が工程Ｓ１＿１５で終了して、第二のサブプログラムＳ３が始まる。
【００５９】
図４は、第二のサブプログラムＳ３のフロー図の例を図示している。この第二のサブプログラムＳ３は、ＤＡＢサービスからそれに対応するセルラー網ベース放送サービスへのハンドオーバーを制御する。
【００６０】
この第二のサブプログラムＳ３は、工程Ｓ３＿１から始まる。工程Ｓ３＿３で、受信装置９０から、例えば、放送マルチキャストサービスセンターへの接続が構築されて、工程Ｓ３＿５で、受信装置９０の登録が行なわれる。
【００６１】
工程Ｓ３＿７で、セルラー網ベース放送サービスの対応するユーザーサービス記述子がデータベース情報及び／又は受信されるＤＡＢ信号に含まれるサービス情報から入手可能であるのかが調べられる。セルラー網ベース放送サービスのユーザーサービス記述子が入手可能である場合、工程Ｓ３＿９で、ＤＡＢサービスとセルラー網ベース放送サービスの間の同期が所与の遅延に基づき開始される。例えば、受信装置９０は、オーディオコンテンツを一時保存して、サービスの最後の数秒の再生又はリピートを遅らせる。例えば、ＤＡＢに対するセルラー網ベース放送サービスの遅延は、データベース及び／又はＤＡＢ信号内、特に、サービス情報内で提供される。同期後、工程Ｓ３＿１１で、受信装置９０は、セルラー網ベース放送サービスの再生を開始する準備が整う。
【００６２】
好ましくは、その時々に受信されるＤＡＢサービスのＤＡＢ信号内に含まれるサービス情報は、セルラー網ベース放送サービスのユーザーサービス記述子を含むか、或いは表す。
【００６３】
このシステムがｅＭＢＭＳシステムである場合、例えば、放送マルチキャストサービスセンターと受信装置９０は、ユーザー登録を完了させるために信号メッセージを交換する。次に、例えば、ＭＢＭＳユーザーサービス発見／宣言が始まる。このプロセスは、受信装置９０がｅＭＢＭＳユーザーサービス選択を可能とするユーザーサービスに関する情報に沿って、利用可能なＭＢＭＳユーザーサービス又はユーザーサービス群のリストを取得することを可能とする。
【００６４】
このサービス選択のために、
ア  ダウンロード配信機能を用いたＭＢＭＳベアラを介したユーザーサービス宣言
イ  対話型宣言機能（ＨＴＴＰを用いた受信装置９０へのサービス記述）を用いたユーザーサービス宣言
ウ  それ以外の手段による、それ以外の可能なユーザーサービス宣言及び発見機構
の幾つかのサービス発見機構を使用することができる。
【００６５】
それに代わって、或いはそれに追加して、データベース情報は、ユーザーサービス記述子又はそれを表すものを含むことができる。ｅＭＢＭＳシステムでは、データベース情報は、例えば、セルラー網ベース放送サービスを介して伝送される該ＤＡＢサービスのためのＤＡＢサービス識別子毎のＴＭＧＩ及びフローＩＤと、同期に必要なデータとを含む。ナビゲーションシステムからのＧＰＳ座標及びデータと共に、この情報に基づき、例えば、サービス継続に必要な遷移ゾーンが事前に計算される。
【００６６】
表ＩＩは、このデータベースに含まれるデータベース情報の幾つかの例を提供する。
【００６７】
【表２】
0006483797.tif 000003
【００６８】
この情報は、好ましくは、サービス情報の情報と同じものである。
【００６９】
以下に示す通り、これは、受信装置９０がセルラー網ベース放送サービスのユーザーサービス記述子を発見するために、全てのサービス記述子要素を読み取る必要が無いので、ハンドオーバー手順を簡単化する、その結果、そのレイテンシーを低減する。
【００７０】
しかし、その対応するセルラー網ベース放送サービスのユーザーサービス記述子が分からない場合、（Ｓ３＿１３／Ｓ３＿１５のループと関連して）工程Ｓ３＿１１で、ユーザーサービス記述子は、例えば、セルラー網ベース放送サービス記述子を評価することによって、反復して決定される。この場合、該ＤＡＢサービスのサービス記述要素は、セルラー網ベース放送サービス記述、特に、マルチメディア放送／マルチキャストサービスのユーザーサービス記述に含まれる。
【００７１】
ｅＭＢＭＳシステムに関して、受信装置９０は、ｅＭＢＭＳの全てのユーザーサービス群を収集して、ＭＢＭＳユーザーサービスを記述する一つ又は複数の「ユーザーサービス記述」要素を含む「バンドル記述」要素内のＤＡＢサービスＩＤを求めて反復して検索する。ＭＢＭＳユーザーサービスを特定するために、各「ユーザーサービス記述」要素は、ユニークな識別子である「サービスＩＤ」属性を有し、一つ又は複数の「名前」要素を含むことができる。この「サービスＩＤ」は、例えば、ユニフォームリソース名（ＵＲＮ）フォーマットである。
【００７２】
このユニフォームリソース識別子（ＵＲＩ）は、“ｕｒｎ：”＜ＮＩＤ＞“：”＜ＮＳＳ＞の構文を使用し、ここで、＜ＮＩＤ＞は、名前空間特定ストリング＜ＮＳＳ＞の構文解釈を決める名前空間識別子である。この３ＧＰＰは、「３ｇｐｐ」のＮＩＤを用いる異なるＮＳＳに関するＵＲＮ値のリストを提供する。両方の方式における同じデジタルオーディオサービスの特定を簡単化するために、ＭＢＭＳユーザーサービス記述の「サービスＩＤ」属性は、例えば、ＤＡＢで使用されるサービスＩＤ（１６ビット）を含む。例えば、デジタルオーディオサービス用のＮＳＳは、次の通り、プレフィックス「ｄａｂ」に続くＤＡＢサービスＩＤ（１６ビット）から構成される。
【００７３】
“ｕｒｎ：３ｇｐｐ：ｄａｂ”＜ＤＡＢ  サービスＩＤ＞
【００７４】
対応するＭＢＭＳユーザーサービスが発見されると、そのサービスに関連するＭＢＭＳセッションのテンポラリィ・モバイル・グループ・アイデンティティ（ＴＭＧＩ）とフローＩＤを含む全ての関連するユーザーサービス記述子が抽出される。このようにして、受信機は、ｅＭＢＭＳ信号内で所与のＤＡＢサービスを発見するために必要な情報を有する。対応するＤＡＢサービスを決定することができるイベントにおいて、第二のサブプログラムは、工程Ｓ３＿９に続く。
【００７５】
任意選択として、工程Ｓ３＿９で、サービス継続が成功裏に進行した地理的位置が、このデータベース及び／又は別のデータベースに保存される。
【００７６】
工程Ｓ３＿１１でユーザーサービス記述子を決定できなかったイベントにおいて、或いはセルラー網ベース放送サービスの再生が開始された場合、第二のサブプログラムＳ３が工程Ｓ３＿２３で終了して、第三のサブプログラムＳ５が始まる。
【００７７】
第三のサブプログラムＳ５のフロー図の例が図５に図示されている。この第三のサブプログラムＳ５は、セルラー網ベース放送サービスからそれに対応するＤＡＢサービスへのハンドオーバーを実施する役割を果たす。この第三のサブプログラムは、データベース情報を調べ続ける。このデータベース情報は、保存されたサービス情報を含むこともできる。受信装置は、受信されるＤＡＢサービス信号内に含まれる該サービス情報を保存するように構成することができる。
【００７８】
この第三のサブプログラムＳ５は工程Ｓ５＿１から始まる。
【００７９】
工程Ｓ５＿３では、ＤＡＢサービスのカバレージギャップの地理的位置、セルラー網ベース放送サービスのカバレージギャップの地理的位置及びＤＡＢサービスとセルラー網ベース放送サービスの遷移ゾーンの中の一つ以上を表す提供されるデータベース情報が入手可能であるのかが調べられる。
【００８０】
このデータベース情報が入手可能である場合、そのデータベース情報は、工程Ｓ５＿５で調査される。工程Ｓ５＿５において、このデータベース情報に基づき、車両３０が所与の時間期間内に到達すると期待されるルート区間内におけるデジタルオーディオ放送サービス信号及び／又はセルラー網ベース放送サービス信号の信号品質及び／又は信号アベイラビリティが推定される。
【００８１】
任意選択として、工程Ｓ５＿７で、その時々のデジタルオーディオ信号及び／又はその時々のセルラー網ベース放送サービス信号の提供される測定データが評価される。工程Ｓ５＿７では、この提供される測定データに基づき、その時々のデジタルオーディオ放送サービス信号又はセルラー網ベース放送サービス信号の信号品質が推定される。
【００８２】
工程Ｓ５＿９で、このデジタルオーディオ放送サービス信号及び／又はセルラー網ベース放送サービス信号の信号品質の推定に基づき、ハンドオーバーが実施される、特に、ハンドオーバーが可能なのか、或いはセルラー網ベース放送サービスのカバレージが悪い場合にハンドオーバーが必要なのかが決定される。
【００８３】
ハンドオーバーが可能及び／又は必要である場合、工程Ｓ５＿１１で、受信装置９０がＤＡＢへの接続を構築して、ＤＡＢサービスとセルラー網ベース放送サービスの間の同期が開始される。同期後に、工程Ｓ５＿１３で、受信装置９０は、セルラー網ベース放送サービスの再生を開始する準備が整う。
【００８４】
ＤＡＢの再生が開始された場合、第三のサブプログラムＳ５は工程Ｓ５＿１５で終了して、第一のサブプログラムＳ１が再び始まる。
【符号の説明】
【００８５】
１０    デジタルオーディオ放送の放送塔
２０    基地局
３０    車両
４０    道路
５０    ＤＡＢサービスカバレージゾーン
６０    ＤＡＢサービスカバレージギャップ
７０    遷移ゾーン
８０    セルラー網ベース放送サービスカバレージゾーン
９０    受信装置
Ｓ１    第一のサブプログラム
Ｓ３    第二のサブプログラム
Ｓ５    第三のサブプログラム
Ｓ１＿ｘ，Ｓ３＿ｘ，Ｓ５＿ｘ    処理工程
【図１】
0006483797.tif 000004
【図２】
0006483797.tif 000005
【図３】
0006483797.tif 000006
【図４】
0006483797.tif 000007
【図５】
0006483797.tif 000008